(57)【要約】      （修正有）【課題】ユーザーが希望する設定項目にすぐにたどり着くことができ、携帯端末との間で設定変更やジョブ操作を継続することができる画像形成装置を提供する。【解決手段】操作パネル部６の操作で画像形成装置の設定変更の操作が開始されると、端末装置９は、画像形成装置の設定項目をメニューマップの形式で表示パネル９８に表示する。端末装置９でメニューマップ画面上で設定項目を決定する操作が行われると、画像形成装置は、表示パネル６１に表示する設定画面を、送信されてきた情報が示す設定項目についての設定画面に遷移させる。また、操作パネル部６の操作で設定項目を決定する操作が行われ、表示パネル６１に表示する設定画面が遷移すると、表示パネル９８で選択されている設定項目を表示パネル６１上で選択されている項目に変更する。【選択図】図６
2015170164.tif 000002
【特許請求の範囲】
【請求項１】
画像形成装置の設定画面を端末装置で操作できる画像形成システムであって、
該端末装置は、該画像形成装置の設定項目をメニューマップの形式で表示する設定項目表示手段と、
該端末装置の操作に基づき、該設定項目中で選択されている項目を表示する選択項目表示手段と、
該設定項目表示手段が表示した設定項目に対する操作結果を該画像形成装置に送信する操作結果送信手段とを備え、
該画像形成装置は、該操作結果送信手段からの送信結果を該画像形成装置の設定及び該設定画面に反映させる送信結果反映手段を備えていることを特徴とする画像形成システム。
【請求項２】
選択項目表示手段は、該画像形成装置から送信されてくる情報に基づき、該設定項目中で選択されている項目を表示し、
該画像形成装置は、
該送信結果反映手段が反映させた設定及び設定画面の情報を該端末装置に送信する情報送信手段を備えていることを特徴とする請求項１に記載の画像形成システム。
【請求項３】
画像形成装置の設定画面を端末装置で操作する設定画面操作方法であって、
該画像形成装置の設定項目を該端末装置においてメニューマップの形式で表示する設定項目表示ステップと、
該設定項目表示ステップで表示した該設定項目中で、該端末装置の操作に基づき選択されている項目を表示する選択項目表示ステップと、
該設定項目表示ステップで表示した設定項目に対する該端末装置の操作結果を該画像形成装置に送信する操作結果送信ステップと、
該操作結果送信ステップでの送信結果を該画像形成装置の設定及び該設定画面に反映させる送信結果反映ステップとを備えていることを特徴とする設定画面操作方法。
【請求項４】
該送信結果反映ステップで反映させた設定及び設定画面の情報を該端末装置に送信する情報送信ステップを備え、
該選択項目表示ステップは、該画像形成装置から送信されてくる情報に基づき、該設定項目中で選択されている項目を表示するステップを含むことを特徴とする請求項３に記載の設定画面操作方法。
【発明の詳細な説明】
【技術分野】
【０００１】
本発明は、画像形成装置の設定画面を端末装置で操作できる画像形成システムに関する。
【背景技術】
【０００２】
下記の特許文献１では、画像処理装置から情報端末装置に対して、画像処理装置の機能を利用するための操作画面を定義する情報が送信される。情報端末装置では、受信した画面定義情報に従って操作画面が構築され、この操作画面を用いて行われた操作に応じて、画像処理装置に対して実行要求が送信される。
また、特許文献２では、携帯端末が多機能装置から受信した機能選択情報に従って、多機能装置で実行できる画像処理の機能を選択するための画面を表示部に表示させる。そして、ユーザにより何れかの機能が選択されると、選択された機能を示す項目データを多機能装置に送信する。
【先行技術文献】
【特許文献】
【０００３】
【特許文献１】特開２０１３−１５７８６０号公報
【特許文献２】特開２０１３−７８０３５号公報
【発明の概要】
【発明が解決しようとする課題】
【０００４】
特許文献１では、情報端末装置を使用することで、画像処理装置のパネルの表示機能に関わらない統一的な操作画面で操作することができる。また、特許文献２では、ユーザーが画像処理で実行させようとする機能を携帯端末で容易に指定できる。
【０００５】
しかしながら、これらの従来技術では、ユーザーが希望する機能を見つけるために、情報端末装置又は携帯端末の画面を遷移する必要があった。また、情報端末装置又は携帯端末の表示画面が画像処理装置や多機能装置での表示画面とは連動していないため、ユーザーが、情報端末装置又は携帯端末で設定変更やジョブの実行をすることができなかった。
【０００６】
本発明は斯かる課題に鑑みてなされたもので、上記課題を解決できる画像形成システム、設定画面操作方法を提供することを目的とする。
【課題を解決するための手段】
【０００７】
このような目的を達成するために、本発明の画像形成システムは、
画像形成装置の設定画面を端末装置で操作できる画像形成システムであって、
該端末装置は、該画像形成装置の設定項目をメニューマップの形式で表示する設定項目表示手段と、
該端末装置の操作に基づき、該設定項目中で選択されている項目を表示する選択項目表示手段と、
該設定項目表示手段が表示した設定項目に対する操作結果を該画像形成装置に送信する操作結果送信手段とを備え、
該画像形成装置は、該操作結果送信手段からの送信結果を該画像形成装置の設定及び該設定画面に反映させる送信結果反映手段を備えていることを特徴とする。
また、本発明は、選択項目表示手段は、該画像形成装置から送信されてくる情報に基づき、該設定項目中で選択されている項目を表示し、
該画像形成装置は、
該送信結果反映手段が反映させた設定及び設定画面の情報を該端末装置に送信する情報送信手段を備えていることを特徴とする。
本発明の設定画面操作方法は、
画像形成装置の設定画面を端末装置で操作する設定画面操作方法であって、
該画像形成装置の設定項目を該端末装置においてメニューマップの形式で表示する設定項目表示ステップと、
該設定項目表示ステップで表示した該設定項目中で、該端末装置の操作に基づき選択されている項目を表示する選択項目表示ステップと、
該設定項目表示ステップで表示した設定項目に対する該端末装置の操作結果を該画像形成装置に送信する操作結果送信ステップと、
該操作結果送信ステップでの送信結果を該画像形成装置の設定及び該設定画面に反映させる送信結果反映ステップとを備えていることを特徴とする。
また、本発明は、
該送信結果反映ステップで反映させた設定及び設定画面の情報を該端末装置に送信する情報送信ステップを備え、
該選択項目表示ステップは、該画像形成装置から送信されてくる情報に基づき、該設定項目中で選択されている項目を表示するステップを含むことを特徴とする。
【発明の効果】
【０００８】
本発明によれば、端末装置に設定項目のメニューマップが表示されるので、ユーザーが希望する設定項目にすぐにたどり着くことができる。また、端末装置と画像形成装置のパネルが同期することで、端末装置のパネルで設定変更や画面遷移ができ、また、端末装置と画像形成装置との間で設定変更やジョブ操作を継続することができる。
【図面の簡単な説明】
【０００９】
【図１】本発明の一実施形態の画像形成システムを示す概略図である。
【図２】図１の画像形成装置の構成を示す概略図である。
【図３】図１の画像形成装置の回路構成を示す概略図である。
【図４】図１の端末装置の構成を示す概略図である。
【図５】メニューマップ画面表示処理の概略を示すフローチャートである。
【図６】操作パネル部及び表示パネルを示す図である。
【図７】操作パネル部及び表示パネルを示す図である。
【図８】操作パネル部及び表示パネルを示す図である。
【図９】操作パネル部及び表示パネルを示す図である。
【発明を実施するための形態】
【００１０】
＜実施の形態＞
まず、図１を参照して、本発明の実施の形態に係るプリントシステムの構成について説明する。図１は、プリントシステムの構成図である。
プリントシステムは、画像形成装置１と、画像形成装置１と通信可能な端末装置９とを備えている。
【００１１】
〔画像形成装置１の構成〕
次に、図２を参照して、本発明の実施の形態に係る画像形成装置１の構成について詳しく説明する。
図２によると、本実施の形態の画像形成装置１は、原稿読取部２と、原稿給送部３と、本体部４と、スタックトレイ５と、操作パネル部６（入力手段）とを備えている。
原稿読取部２は、本体部４の上方に配設され、原稿給送部３は、原稿読取部２の上方に配設されている。スタックトレイ５は、本体部４に設けられた記録紙の排出口４１側に配設され、また、操作パネル部６は、本体部４のフロント側に配設されている。
【００１２】
原稿読取部２は、スキャナー２１と、プラテンガラス２２と、原稿読取スリット２３とを備える。スキャナー２１は、露光ランプ、及びＣＣＤ(Charge Coupled Device)やＣＭＯＳ（Complementary Metal Oxide Semiconductor）撮像センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１３】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得して、取得した画像データを本体部４の制御回路に備わる画像形成部１７（図３）に出力する。
また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４の制御回路に備わる画像形成部１７（図３）に出力する。
【００１４】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１５】
本体部４は、画像形成部７（画像形成手段）を備えると共に、給紙部４２と、用紙搬送路４３と、搬送ローラー対４４と、排出ローラー対４５とを備えている。給紙部４２は、それぞれサイズ又は向きが異なる記録紙を収納する複数の給紙カセット４２１と、給紙カセット４２１から記録紙を１枚ずつ用紙搬送路４３に繰り出す給紙ローラー４２２とを備えている。
給紙ローラー４２２、搬送ローラー対４４、及び排出ローラー対４５は、搬送部として機能する。記録紙は、この搬送部により搬送される。給紙ローラー４２２によって用紙搬送路４３に繰り出された記録紙は、搬送ローラー対４４によって画像形成部７に搬送される。
そして、画像形成部７によって記録が施された記録紙は、排出ローラー対４５によってスタックトレイ５に排出される。
【００１６】
操作パネル部６は、ＬＣＤ等の表示パネル６１と、スタートキー、テンキー、複写／ＦＡＸ送信／スキャナー等の動作モードの切り換えボタンと、印刷、送信、受信、保存、又は記録に関する指示を行うためのボタンやタッチパネル等とを含む入力部を備えている。つまり、操作パネル部６は、ユーザーによる画像形成装置１のこれらの各種ジョブの指示入力を受け付ける。
また、操作パネル部６は、ユーザーによるパスワード等の認証入力を受け付ける。
【００１７】
画像形成部７は、感光体ドラム７１と、露光部７２と、現像部７３と、転写部７４と、定着装置８とを備えている。露光部７２は、レーザー装置やミラーやレンズ等を備えた光学ユニットであり、画像データに基づいた光を出力して感光体ドラム７１を露光し、感光体ドラム７１の表面に静電潜像を形成する。現像部７３は、トナーを用いて感光体ドラム７１に形成された静電潜像を現像する現像ユニットであり、静電潜像に基づいたトナー像を感光体ドラム７１上に形成させる。
転写部７４は、現像部７３によって感光体ドラム７１上に形成されたトナー像を記録紙に転写させる。定着装置８は、転写部７４によってトナー像が転写された記録紙を加熱してトナー像を記録紙に定着させる。
【００１８】
次に、画像形成装置１の回路構成について説明する。
図３は、画像形成装置１の回路構成を示す概略図である。
画像形成装置１は、画像形成装置１の動作を制御するＣＰＵ１０と、ＣＰＵ１０の処理に用いられるプログラムやデータを記憶したＲＯＭ１１と、画像形成用の画像データを記憶する画像データ記憶部１２と、ＣＰＵの処理に用いられる他のデータが記憶されるＲＡＭ１３と、各種センサ群１４と、用紙搬送部１５と、画像読取部１６と、画像形成部１７と、通信Ｉ／Ｆ部１８と、上述の操作パネル部６とを備えている。
【００１９】
用紙搬送部１５は、原稿給送部３の原稿排出部３２及び原稿搬送機構３３、本体部４の搬送部等を動作させる。各種センサ群１４には、原稿読取部２のスキャナー２１が備えた撮像センサや、操作パネル部６の入力部が含まれている。画像読取部１６は、原稿読取部２のスキャナー２１を動作させる。画像形成部１７は、画像形成部７及び転写部７４を動作させる。通信Ｉ／Ｆ部１８は、ネットワークを介した通信に用いられる。
【００２０】
ＣＰＵ１０は、端末装置９から通信Ｉ／Ｆ部１８を介して入力された操作情報に応じて画像形成装置１の動作を制御すると共に、端末装置９での画面表示に必要なデータを、通信Ｉ／Ｆ部１８を介して端末装置９に送信する。
【００２１】
また、ＣＰＵ１０は、操作パネル部６の操作で画像形成装置１の設定変更の操作が開始されると、端末装置９との間で後述するメニューマップ画面表示処理を実行することで、端末装置９での操作結果に応じて画像形成装置１の設定を変更すると共に表示パネル６１での設定画面の表示内容を変更する。
【００２２】
次に、端末装置９について説明する。
図４は、端末装置９の回路構成を示す概略図である。
端末装置９は、端末装置９の動作を制御するＣＰＵ９１と、ＣＰＵ９１の処理に用いられるプログラムやデータを記憶したＲＯＭ９２と、画像形成用の画像データを記憶する画像データ記憶部９３と、ＣＰＵ９１の処理に用いられる他のデータが記憶されるＲＡＭ９４と、各種センサ群９５と、通信Ｉ／Ｆ部９６と、表示パネル９８とを備えている。
【００２３】
各種センサ群９５には、端末装置９の表示パネル９８に対する操作を検知するセンサが含まれている。通信Ｉ／Ｆ部９６は、ネットワークを介した通信に用いられる。ＲＯＭ９２には、ネットワークを介した通信で画像形成装置１を操作する操作アプリが記憶されている。
【００２４】
ＣＰＵ９１は、操作アプリの制御により、画像形成装置１から送信されてきたデータに基づき表示パネル９８に画像表示を行うと共に、ユーザーによる端末装置９等に対する操作結果を画像形成装置１に送信する。
【００２５】
また、ＣＰＵ９１は、画像形成装置１との間で後述するメニューマップ画面表示処理を実行することで、メニューマップ画面上での端末装置９の操作情報を画像形成装置１に送信すると共に、画像形成装置１から送信されてくる情報に応じてメニューマップ画面での選択項目を変更する。メニューマップ画面は、画像形成装置１の設定項目がメニューマップの形式で表示パネル９８に表示された画面である。
【００２６】
次に、画像形成システムで実行されるメニューマップ画面表示処理について説明する。
図５は、メニューマップ画面表示処理の概略を示すフローチャートである。
【００２７】
このメニューマップ画面表示処理では、画像形成装置１は、操作パネル部６の操作で画像形成装置１の設定変更の操作が開始されると、メニューマップ画面の表示に必要なデータを端末装置９に送信する（Ｓ１）。これを受信した端末装置９は、表示パネル９８でメニューマップ画面を表示し（Ｓ２）、表示パネル６１で選択されている設定項目を強調表示する。
【００２８】
その後、端末装置９は、メニューマップ画面上で設定項目を決定する操作が行われたか否かを判別し（Ｓ３）、メニューマップ画面上で設定項目を決定する操作が行われると、決定された設定項目に関する情報を画像形成装置１に送信する（Ｓ４）。
【００２９】
画像形成装置１は、この情報を受信すると、画像形成装置１の設定及び表示パネル６１での表示に操作端末９での操作結果を反映させる（Ｓ５）。具体的には、画像形成装置１は、表示パネル６１に表示する設定画面を、送信されてきた情報が示す設定項目についての設定画面に遷移させる。また、画像形成装置１は、端末装置９で決定された設定項目に設定を変更する。その後、画像形成装置１は、処理をＳ３に戻し、メニューマップ画面上で設定項目を決定する操作が行われる度に、Ｓ４及びＳ５の処理を繰り返し実行する。
【００３０】
一方、画像形成装置１は、操作パネル部６の操作で設定項目を決定する操作が行われたか否かを判別し（Ｓ６）、この操作が行われていると、その操作を反映させる（Ｓ７）。具体的には、画像形成装置１は、表示パネル６１に表示する設定画面を、決定された設定項目についての設定画面に遷移させる。
【００３１】
画像形成装置１は、表示パネル６１に表示する設定画面を遷移させると、遷移後の設定画面で選択されている設定項目に関する情報を端末装置９に送信する（Ｓ８）。この情報を受信した端末装置９は、表示パネル９８で選択されている設定項目を表示パネル６１上で選択されている項目に変更する（Ｓ９）。
【００３２】
上述のメニューマップ画面表示処理で表示パネル６１及び表示パネル９８で行われる表示について説明する。図６（ａ）は操作パネル部６を示す図、図６（ｂ）は表示パネル９８を示す図である。また、図７（ａ）は表示パネル９８を示す図、図７（ｂ）は操作パネル部６を示す図である。
【００３３】
図６（ａ）に示すように、操作パネル部６で設定変更の操作が開始されると、表示パネル６１には、画像形成装置１の設定画面が表示される。これに伴い、表示パネル９８には、図６（ｂ）に示すように、画像形成装置１の設定項目がメニューマップの形式で表わされたメニューマップ画面が表示される。表示パネル６１及び表示パネル９８には、操作パネル部６及び端末装置９の操作でユーザーに選択されている設定項目が太枠で強調表示されている。図６に示す例では、表示パネル６１及び表示パネル９８上で選択されている「コピー」の設定項目が太枠で強調表示されている。また、表示パネル９８では、「用紙選択」、「拡大縮小」、「ページ集約」等の設定項目が表示されている。ここで、端末装置９の表示パネル９８上で「ページ集約」の設定を変更する例を示す。表示パネル９８上では「コピー」の設定項目の中の「ページ集約」の項目が画像形成装置１の「ページ集約」の初期状態である「ＯＦＦ」に設定されており、塗りつぶしにより強調表示されている。
【００３４】
端末装置９が操作されて表示パネル９８上で「コピー」の設定項目から「ページ集約」の「２ｉｎ１」の設定を選択する「ＯＮ」の項目が選択されると、図７（ａ）に示すように、「ページ集約」の「ＯＦＦ」の塗りつぶしによる強調表示が解除され、「２ｉｎ１」の「ＯＮ」の設定項目が太枠で強調表示される。そして、「２ｉｎ１」の設定項目が決定されると、この端末装置９の動作に伴い、図７（ｂ）に示すように、表示パネル６１でも「ページ集約」の設定画面が表示され、端末装置９で決定された「２ｉｎ１」の設定項目が塗りつぶしにより強調表示され、画像形成装置１は、「ページ集約」の設定を「２ｉｎ１」の設定に変更する。
【００３５】
次に、画像形成装置１の側で設定項目の変更を行った場合を説明する。画像形成装置１が操作されて、図８（ａ）に示すように表示パネル６１上で「コピー」の設定項目が選択されている状態から、「ページ集約」の設定項目が選択されて図８（ｂ）に示す「ページ集約」の設定画面が表示され、その中の「２ｉｎ１」の設定項目が決定されると、表示パネル９８では、図９（ａ）に示すように、「コピー」の設定項目が太枠で強調表示された状態から、図９（ｂ）に示すように、「ページ集約」の「ＯＦＦ」の塗りつぶしによる強調表示が解除され、「ページ集約」の「２ｉｎ１」の「ＯＮ」の設定項目が太枠で強調表示される。このように、画像形成システムでは、表示パネル９８と表示パネル６１が同期している。
【００３６】
以上のように構成することで、以下のような効果を得ることができる。
本実施形態によれば、端末装置９に設定項目のメニューマップが表示されるので、ユーザーが希望する設定項目にすぐにたどり着くことができる。
【００３７】
また、本実施形態によれば、表示パネル９８と表示パネル６１が同期することで、端末装置９を用いて設定変更や画面遷移ができ、また、端末装置９と画像形成装置１との間で設定変更やジョブ操作を継続することができる。
【００３８】
なお、上記実施の形態の構成及び動作は例であって、本発明の趣旨を逸脱しない範囲で適宜変更して実行することができることは言うまでもない。例えば、端末装置９は、マートフォンや携帯電話のような携帯端末装置であっても、携帯されないパソコンのような端末装置であってもよい。
【符号の説明】
【００３９】
１  画像形成装置
２  原稿読取部
３  原稿給送部
４  本体部
５  スタックトレイ
６  操作パネル部
７  画像形成部
８  定着装置
９  端末装置
１０  ＣＰＵ
１１  ＲＯＭ
１２  画像データ記憶部
１３  ＲＡＭ
１４  各種センサ群
１５  用紙搬送部
１６  画像読取部
１７  画像形成部
１８  通信Ｉ／Ｆ部
１９  操作表示部
２１  スキャナー
２２  プラテンガラス
２３  原稿読取スリット
３１  原稿載置部
３２  原稿排出部
３３  原稿搬送機構
４１  排出口
４２  給紙部
４２１  給紙カセット
４２２  給紙ローラー
４３  用紙搬送路
４４  搬送ローラー対
４５  排出ローラー対
６１  表示パネル
７１  感光体ドラム
７２  露光部
７３  現像部
７４  転写部
９１  ＣＰＵ
９２  ＲＯＭ
９３  画像データ記憶部
９４  ＲＡＭ
９５  各種センサ群
９６  通信Ｉ／Ｆ部
９８  表示パネル
【図１】
2015170164.tif 000003
【図２】
2015170164.tif 000004
【図３】
2015170164.tif 000005
【図４】
2015170164.tif 000006
【図５】
2015170164.tif 000007
【図６】
2015170164.tif 000008
【図７】
2015170164.tif 000009
【図８】
2015170164.tif 000010
【図９】
2015170164.tif 000011